(57)【特許請求の範囲】
【請求項１】
前端が開口している外筒部と、
前記外筒部の前端部に位置して液剤を対象部位に付与するための液剤付与部と、
前記外筒部の内側に配置されて該外筒部内に前記液剤が充填される充填用隙間を形成する内筒部であって、その内部と該充填用隙間とを接続する接続孔を有する内筒部と、
前記液剤付与部を、前記外筒部の前端から突出する突出位置と該外筒部の内側に収納される収納位置との間で移動させる移動部と、
前記充填用隙間から前記液剤付与部への液剤の流通を、前記液剤付与部が前記突出位置に位置するときに制限し、前記収納位置に位置するときに許容する第１開閉部とを備えることを特徴とする液剤投与装置。
【請求項２】
前記液剤付与部が前記突出位置に位置するときに前記接続孔を開き、該液剤付与部が前記収納位置に位置するときに該接続孔を閉じる第２開閉部を備えることを特徴とする請求項１に記載の液剤投与装置。
【請求項３】
前記液剤付与部は、前記内筒部の前端部に設けられ、
前記移動部は、前記内筒部により構成され、
前記第１開閉部は、前記液剤付与部が前記突出位置に位置するときに該内筒部の前端部に密接して前記液剤付与部への液剤の流通を制限し、前記液剤付与部が前記収納位置に移動するときに該制限を解除する第１開閉部材により構成されることを特徴とする請求項２に記載の液剤投与装置。
【請求項４】
前記第２開閉部は、前記液剤付与部が前記突出位置に位置するときに前記接続孔を開放し、該液剤付与部が前記収納位置に位置するときに該接続孔を閉塞する位置に位置する第２開閉部材により構成されることを特徴とする請求項２又は３に記載の液剤投与装置。
【請求項５】
前記第１開閉部及び前記第２開閉部は、接続部材で接続されて前記外筒部と前記内筒部との間で前後方向に一体的に摺動し得るスライド部を構成し、
前記外筒部は、前記液剤付与部が前記突出位置よりも前方へ移動するのを阻止する移動阻止部を備え、
前記第１開閉部は、その内側に前記液剤付与部を通して支持する筒状又は環状の部材で構成され、前記液剤付与部が前記突出位置に位置するときに前記内筒部の前端部と前記外筒部の移動阻止部との間に挟まれて前記液剤の流通を制限するものであり、
前記内筒部は、前記液剤付与部が前記突出位置から前記収納位置へ移動するとき、前記接続孔が前記第２開閉部により閉塞された後、前記スライド部を押して該収納位置に対応する位置に移動させることにより、前記第１開閉部による前記液剤付与部の支持を継続させる押送部材を備えることを特徴とする請求項２〜４のいずれか１項に記載の液剤投与装置。
【請求項６】
前記第２開閉部は、前記充填用隙間の後端を画定する部材により構成されることを特徴とする請求項５に記載の液剤投与装置。
【請求項７】
前記液剤付与部は、複数本の針を束ねて構成された束ね針であることを特徴とする請求項１〜６のいずれか１項に記載の液剤投与装置。
【発明の詳細な説明】
【技術分野】
【０００１】
本発明は、複数本の針を束ねて構成された束ね針を対象部位に穿刺して液剤を投与するための液剤投与装置に関する。
【背景技術】
【０００２】
従来、このような液剤投与装置として、外筒部と、外筒部内で移動可能な内筒部と、内筒部の前端部に固定された束ね針とを備え、遺伝子や検査薬等の薬剤を患部組織に投与するための薬剤投与処置具が知られている（例えば、特許文献１参照）。特許文献１の薬剤投与処置具では、内筒部が、束ね針が外筒部の前方に突出する位置と、束ね針が外筒部の内側に収納される位置との間で移動し得るように構成される。
【０００３】
この薬剤投与処置具により薬剤を体腔内の患部組織に投与する際には、束ね針が外筒部に収納された状態で、薬剤投与処置具がその前端側から内視鏡のチャンネルを介して体腔内に導入され、薬剤投与処置具の前端部が患部組織に対峙するように位置づけられる。そして、外筒部の前端から束ね針が突出され、患部組織に穿刺される。その後、シリンジ等から内筒部を経て薬剤が束ね針に供給される。供給された薬剤は、束ね針を伝って、患部組織に注入される。
【０００４】
また、特許文献１における薬剤投与処置具の別の態様においては、シリンジ等から薬剤を供給する代わりに、束ね針に薬剤が塗布され、毛細管現象又は表面張力によって束ね針に付与される。その後、同様に内視鏡を介して束ね針を患部組織に穿刺することにより、薬剤が患部組織に投与される。
【先行技術文献】
【特許文献】
【０００５】
【特許文献１】特開平８−１５０２１５号公報
【発明の概要】
【発明が解決しようとする課題】
【０００６】
しかしながら、上記従来の薬剤投与処置具によれば、シリンジ等の操作量に応じた量の薬剤が供給されるので、該操作量が大きい場合には、余分な量の薬剤が患部組織に投与されるおそれがある。また、内筒部内に供給された薬剤は、内筒部の前端からそのまま束ね針を伝達して患部組織に流出する。これによっても、余分な量の薬剤が患部組織に投与されるおそれがある。
【０００７】
また、上記薬剤投与処置具の別の態様によれば、束ね針に付与される薬剤が患部組織に投与されるので、余分な量の薬剤が患部組織に投与されるのをある程度回避することはできる。しかし、薬剤の投与を患部組織の数個所に行う場合には、その度に内視鏡に対する薬剤投与処置具の着脱を繰り返さなければならないので、煩雑である。
【０００８】
本発明の目的は、かかる従来技術の課題に鑑み、容易に適量の液剤を対象部位に投与することができる液剤投与装置を提供することにある。
【課題を解決するための手段】
【０００９】
本発明の液剤投与装置は、前端が開口している外筒部と、前記外筒部の前端部に位置して液剤を対象部位に付与するための液剤付与部と、前記外筒部の内側に配置されて該外筒部内に前記液剤が充填される充填用隙間を形成する内筒部であって、その内部と該充填用隙間とを接続する接続孔を有する内筒部と、前記液剤付与部を、前記外筒部の前端から突出する突出位置と該外筒部の内側に収納される収納位置との間で移動させる移動部と、前記充填用隙間から前記液剤付与部への液剤の流通を、前記液剤付与部が前記突出位置に位置するときに制限し、前記収納位置に位置するときに許容する第１開閉部とを備えることを特徴とする。
【００１０】
本発明において、液剤を対象部位に投与するに際しては、まず、液剤付与部が突出位置に移動される。これにより、第１開閉部によって充填用隙間から液剤付与部への液剤の流通が制限される。この状態において、内筒部に後端側から液剤が供給される。供給された液剤は、接続孔を経て充填用隙間に充填される。
【００１１】
次に、液剤付与部が収納位置に移動される。これにより、第１開閉部によって充填用隙間から液剤付与部への液剤の流通が許容された状態となり、充填用隙間内の液剤が、液剤付与部に流通して浸透する。
【００１２】
次に、液剤付与部が突出位置に移動され、液剤付与部から対象部位に液剤が付与される。このとき、第１開閉部によって充填用隙間から液剤付与部への液剤の流通が制限された状態にあるため、充填用隙間から余分な液剤が液剤付与部に漏洩することなく、液剤の付与が行われる。
【００１３】
したがって、本発明によれば、対象部位に対して必要最小限の液剤を容易に投与することができる。また、液剤として色素液を用い、液剤付与部として束ね針を用い、内視鏡を介して対象部位にマーキング（点墨処置）を行う場合に、色素液が対象部位の周囲に漏洩して内視鏡による視野の確保が困難となるのを防止することができる。
【００１４】
また、液剤の投与を内視鏡を介して行う場合には、液剤投与装置を内視鏡に装着したまま、複数の対象部位に対する液剤の投与又は複数回の液剤の投与を行うことができる。すなわち、液剤投与装置を内視鏡に装着したまま、上述の充填用隙間への液剤の充填、液剤付与部の収納位置への移動、液剤付与部の突出位置への移動、及び対象部位への液剤の投与といった手順を任意の回数繰り返せばよい。
【００１５】
本発明において、前記液剤付与部が前記突出位置に位置するときに前記接続孔を開き、該液剤付与部が前記収納位置に位置するときに該接続孔を閉じる第２開閉部を備えてもよい。
【００１６】
この場合、液剤付与部が収納位置に移動されて充填用隙間から液剤付与部への液剤の流通が許容され、液剤付与部に液剤が流通して浸透してゆくとき、第２開閉部によって内筒部の接続孔が閉塞される。このため、充填用隙間内の液剤が、液剤付与部に過剰に供給されるおそれはない。
【００１７】
したがって、対象部位に対してより確実に必要最小限の液剤を容易に投与することができる。また、上述のようにマーキング（点墨処置）を行う場合に、色素液が対象部位の周囲に漏洩して内視鏡による視野の確保が困難となるのをより確実に防止することができる。
【００１８】
本発明において、前記液剤付与部は、前記内筒部の前端部に設けられ、前記移動部は、前記内筒部により構成され、前記第１開閉部は、前記液剤付与部が前記突出位置に位置するときに該内筒部の前端部に密接して前記液剤付与部への液剤の流通を制限し、前記液剤付与部が前記収納位置に移動するときに該制限を解除する第１開閉部材により構成されてもよい。
【００１９】
これによれば、移動部として内筒部が用いられるので、内筒部を外筒部に対して挿抜する操作部を付加するだけで液剤付与部を突出位置及び収納位置間で移動させる機構を構成することができる。また、かかる操作部を操作するだけで液剤付与部を突出位置及び収納位置間で移動させることができる。したがって、液剤投与装置の構成及び操作を簡便なものとすることができる。また、かかる操作部を有する従来の穿刺針の先端部以外の構成を流用し、液剤投与装置を容易に構成することができる。
【００２０】
本発明において、前記第２開閉部は、前記液剤付与部が前記突出位置に位置するときに前記接続孔を開放し、該液剤付与部が前記収納位置に位置するときに該接続孔を閉塞する位置に位置する第２開閉部材により構成されてもよい。これによれば、第２開閉部材を、接続孔を開放及び閉塞し得る位置に設けるだけで、第２開閉部を容易に構成することができる。
【００２１】
本発明において、前記第１開閉部及び前記第２開閉部は、接続部材で接続されて前記外筒部と前記内筒部との間で前後方向に一体的に摺動し得るスライド部を構成し、前記外筒部は、前記液剤付与部が前記突出位置よりも前方へ移動するのを阻止する移動阻止部を備え、前記第１開閉部は、その内側に前記液剤付与部を通して支持する筒状又は環状の部材で構成され、前記液剤付与部が前記突出位置に位置するときに前記内筒部の前端部と前記外筒部の移動阻止部との間に挟まれて前記液剤の流通を制限するものであり、前記内筒部は、前記液剤付与部が前記突出位置から前記収納位置へ移動するとき、前記接続孔が前記第２開閉部により閉塞された後、前記前記スライド部を押して該収納位置に対応する位置に移動させることにより、前記第１開閉部による前記液剤付与部の支持を継続させる押送部材を備えてもよい。
【００２２】
これによれば、液剤付与部が突出位置と収納位置との間のいずれの位置に位置するときでも、第１開閉部により液剤付与部を支持することができる。
【００２３】
この場合、前記第２開閉部は、前記充填用隙間の後端を画定する部材により構成されてもよい。これによれば、液剤付与部を突出位置に位置付けて液剤を充填用隙間に充填した後、液剤付与部を突出位置から収納位置に移動させるとき、まず、内筒部の押送部材がスライド部を押し始めるまでの内筒の移動距離Ｌ１だけ、内筒部が第１開閉部から離れる。
【００２４】
この間、充填用隙間の後端が第２開閉部により画定され、維持されるので、距離Ｌ１に対応する量の充填用隙間の液剤が、液剤付与部に流入する。移動距離Ｌ１だけ内筒部が第１開閉部から離れた後は、内筒部の押送部材がスライド部を押すので、内筒部とスライド部の位置関係が維持されたまま、液剤付与部は収納位置に到る。したがって、液剤付与部を突出位置から収納位置に移動させることにより、距離Ｌ１に対応する一定量の液剤を液剤付与部に供給することができる。
【００２５】
本発明において、前記液剤付与部材は、複数本の針を束ねて構成された束ね針であってもよい。これによれば、液剤付与部を突出位置から収納位置に移動させて充填用隙間から液剤付与部へ液剤を流通させる際に、束ね針の後端側の一部のみが、第２開閉部材よりも後端側に位置して充填用隙間に接する場合でも、液剤を、毛細管現象により、束ね針の先端側まで、適切に供給することができる。
【図面の簡単な説明】
【００２６】
【図１】本発明の一実施形態に係る液剤投与装置の正面図である。
【図２】（ａ）は、液剤投与装置の束ね針が突出位置に位置している状態での前端近傍の断面図であり、（ｂ）は、（ａ）と９０°異なる断面での断面図である。
【図３】（ａ）は、液剤投与装置の束ね針が固定された前端閉塞部材の正面図であり、（ｂ）は、その側面図である。
【図４】（ａ）は、液剤投与装置の押送部材の正面図であり、（ｂ）は、その側面図である。
【図５】（ａ）は、液剤投与装置のスライド部の正面図、（ｂ）は、その右側面図、（ｃ）は左側面図である。
【図６】液剤投与装置において、その内筒部の側孔から充填用隙間の後端部に色素液が流入して充填されてゆく様子を、図２（ａ）における側孔近傍部分Ａを拡大して示す説明図である。
【図７】充填用隙間の後端部に流入した色素液が流通路を介して充填用隙間の前端側に充填されてゆく様子を、図２（ｂ）における充填用隙間の後端部近傍部分Ｂを拡大して示す説明図である。
【図８】図２（ａ）の状態において色素液が充填用隙間に充填された状態を示す断面図である。
【図９】図８の状態から束ね針が収納位置に移動されたときの状態を示す断面図である。
【発明を実施するための形態】
【００２７】
以下、図面を用いて本発明の実施形態を説明する。図１に示すように、実施形態の液剤投与装置１は、図示していない内視鏡に前端側から挿入される投液チューブ２と、投液チューブ２の前端に設けられ、複数本の針を束ねて構成される液剤付与部としての束ね針３と、束ね針３を、投液チューブ２を介して操作するための手元操作部４とを備える。
【００２８】
手元操作部４は、前端側の操作部本体５と、後端側の端子部６とを備える。操作部本体５及び端子部６には、それぞれ長さ方向に貫通した管状空間が設けられる。操作部本体５及び端子部６は、端子部６の前端側が操作部本体５の管状空間の後端側に挿抜可能に構成される。端子部６の後端部には、端子部６の管状空間にシリンジ等を接続するための接続端子７が設けられる。
【００２９】
図２に示すように、投液チューブ２は、外側の外筒部としての外筒チューブ８と、その内側で前後方向に移動される内筒チューブ９とを備える。外筒チューブ８の後端部は、操作部本体５（図１参照）の前端部に固定され、その管状空間に接続される。外筒チューブ８及び内筒チューブ９は、例えば、摺動性に優れたフッ素樹脂を用いて形成される。
【００３０】
外筒チューブ８の後端部近傍には、外筒チューブ８の側壁を貫通する通気孔８ａが設けられる（図１参照）。通気孔８ａは、外筒チューブ８と内筒チューブ９との間の隙間と、外筒チューブ８の外部との間における空気の出入りを可能にする。これにより、束ね針３を外筒チューブ８の前端部から突出させ及び該前端部に収納する操作をスムーズに行うことができる。
【００３１】
外筒チューブ８の前端は開口しており、その前端部には、内径がその後方側よりも小さい前端小径部１０が設けられる。前端小径部１０は、後述する第１開閉部材が前記突出位置に対応する位置よりも前方へ移動するのを阻止する移動阻止部として機能する。内筒チューブ９の前端は、前端閉塞部材１２で閉塞される。
【００３２】
図３に示すように、上述の束ね針３は、前端閉塞部材１２の前端部において、前方に向けて固定される。内筒チューブ９の後端部は、操作部本体５の管状空間を通して端子部６（図１参照）の前端部に固定され、端子部６の管状空間に接続される。
【００３３】
したがって、端子部６を操作部本体５に対して挿抜することにより、内筒チューブ９を介して、束ね針３を、図２のように外筒チューブ８の前方に突出する突出位置と、図９のように外筒チューブ８の内側に収納される収納位置との間で移動させることができる。すなわち、内筒チューブ９は、束ね針３を、突出位置と収納位置との間で移動させる移動部として機能する。
【００３４】
図３に示すように、束ね針３は、例えば７本の針を相互に密接させて前端閉塞部材１２の前端に固定することにより構成される。相互に隣接する針同士の間を接着剤で固定してもよい。前端閉塞部材１２は、内筒チューブ９の外径と同じ外径を有する円柱部１３と、円柱部１３の後端面から後方に延びた棒状部１４とを備える。前端閉塞部材１２及び束ね針３は、ステンレス等の金属を用いて形成される。
【００３５】
図２に示すように、内筒チューブ９の前端部の閉塞は、円柱部１３の後端面が内筒チューブ９の前端面に密接するまで棒状部１４を内筒チューブ９に挿入することにより行われる。内筒チューブ９及び前端閉塞部材１２によって、内筒部が構成される。
【００３６】
内筒チューブ９の前端閉塞部材１２に近い所定箇所に、内筒チューブ９の内側から外側に貫通した接続孔としての側孔１５が設けられる。端子部６の接続端子７（図１参照）は、端子部６の管状空間及び内筒チューブ９を経て、この側孔１５に通じている。
【００３７】
内筒チューブ９の側孔１５よりも前端側の外周には、図４に示すような部分円筒状の形態を有する押送部材１６が設けられる。押送部材１６は、束ね針３が突出位置から収納位置に移動するときに、後述のスライド部１７の筒状後端部材２０を押して収納位置に対応する位置に移動させる機能を有する。押送部材１６は、ステンレス等の金属を用いて形成される。
【００３８】
図２に示すように、外筒チューブ８と内筒チューブ９及び前端閉塞部材１２（内筒部）との間には、これらと摺動可能なスライド部１７が配置される。スライド部１７は、外筒チューブ８と内筒チューブ９との間の距離を一定に維持する。これにより、外筒チューブ８と内筒チューブ９及び前端閉塞部材１２（内筒部）との間に、液剤を流通させるための充填用隙間１８が形成される。スライド部１７は、ステンレス等の金属を用いて形成される。
【００３９】
図５に示すように、スライド部１７は、前端閉塞部材１２の円柱部１３の前端部が着脱自在に嵌合し得る内径を有する筒状の前端開閉部材１９と、前端開閉部材１９よりも長い筒状後端部材２０と、前端開閉部材１９と筒状後端部材２０とを接続して一体化する接続部２１とを備える。
【００４０】
前端開閉部材１９は、充填用隙間１８から束ね針３への液剤の流通を、束ね針３が上述の突出位置に位置するときに制限し、上述の収納位置に位置するときに許容する第１開閉部を構成する。すなわち、前端開閉部材１９は、束ね針３が突出位置に位置するときに前端閉塞部材１２の円柱部１３の前端部に密接して束ね針３への液剤の流通を制限し、束ね針３が収納位置に移動するときに該制限を解除する第１開閉部材として機能する。
【００４１】
筒状後端部材２０は、束ね針３が突出位置に位置するときに側孔１５を開き、束ね針３が収納位置に位置するときに側孔１５を閉じる第２開閉部を構成する。すなわち、筒状後端部材２０は、束ね針３が突出位置に位置するときに側孔１５を開放し、束ね針３が収納位置に位置するときに側孔１５を閉塞する位置に位置する第２開閉部材として機能する。
【００４２】
内筒チューブ９の押送部材１６は、束ね針３が突出位置から収納位置へ移動するとき、側孔１５が筒状後端部材２０により閉塞された後、スライド部１７の筒状後端部材２０を押して収納位置に対応する位置に移動させる機能を有する。これにより、後述の前端開閉部材１９による束ね針３の支持が継続して行われる。
【００４３】
外筒チューブ８と内筒チューブ９及び前端閉塞部材１２（内筒部）との間の隙間のうち、前端開閉部材１９と筒状後端部材２０との間に存在する部分が、充填用隙間１８として用いられる。
【００４４】
前端開閉部材１９の前端側には、その後端側よりも内径が小さく、径方向内側を束ね針３が通る環状小径部１９ａが設けられる。前端開閉部材１９における環状小径部１９ａよりも後端側は、前端閉塞部材１２の円柱部１３の前端部が着脱自在に嵌合し得る内径を有する。環状小径部１９ａは、束ね針３を、長さ方向に摺動し得るように、径方向において支持する。
【００４５】
図２や図８のように、束ね針３が突出位置に位置するとき、前端閉塞部材１２の円柱部１３が前端開閉部材１９に嵌合し、前端開閉部材１９の環状小径部１９ａが円柱部１３により外筒チューブ８の前端小径部１０に押し付けられる。これにより、前端開閉部材１９は、円柱部１３及び前端小径部１０と協働して、充填用隙間１８の前端を閉塞する。
【００４６】
図９のように、束ね針３が収納位置に位置するとき、前端開閉部材１９は、前端小径部１０及び前端閉塞部材１２から離れる。これにより、充填用隙間１８が束ね針３の基端側に通じた状態となる。
【００４７】
筒状後端部材２０は、充填用隙間１８の後端を画定するとともに、図２のように束ね針３が突出位置に位置するとき、側孔１５を充填用隙間１８に対して開放する。また、筒状後端部材２０は、束ね針３が図９で示される収納位置に移動するとき、側孔１５を閉塞してから押送部材１６に押されて収納位置に対応する位置に位置付けられる。
【００４８】
図２（ｂ）に示すように、筒状後端部材２０には、その前端から後端に到るスリット２２が設けられる。スリット２２は、内筒チューブ９に対するスライド部１７の寸法誤差を吸収し、その組付けを容易にするとともに、適度な弾性力で筒状後端部材２０を内筒チューブ９の外周に接触させる。この適度な弾性力による接触によって、内筒チューブ９に対するスライド部１７の摺動が適度にスムーズなものになるとともに、筒状後端部材２０による側孔１５の閉塞が適切に行われる。
【００４９】
接続部２１は、図２（ｂ）のように、押送部材１６の周方向の一端縁と他端縁との間を通って前後方向に延在し、前端開閉部材１９と筒状後端部材２０とを接続する。接続部２１と該一端縁及び他端縁との間に、液剤が流通し得る流通路２３が形成される。充填用隙間１８は、流通路２３を介して押送部材１６の前後にわたって延在する。
【００５０】
次に、液剤投与装置１の使用方法の一例について説明する。この例では、液剤として色素液を用い、内視鏡を介して小腸等の対象部位に目印を付与する点墨処置が行われる。すなわち、まず、液剤投与装置１を、その包装から汚染に十分注意しながら取り出し、束ね針３に曲りや折れの無いこと、及び投液チューブ２につぶれや著しい折れ曲りが無いことを確認する。
【００５１】
次に、液剤投与装置１の接続端子７に、色素液の入ったシリンジ等を接続する。そして、手元操作部４の端子部６を押して束ね針３を突出位置に移動させる。これにより、液剤投与装置１の先端部は、図２に示すように、束ね針３が外筒チューブ８の先端から突出し、かつ内筒チューブ９の側孔１５が、充填用隙間１８に対して開放された状態となる。
【００５２】
この束ね針３の突出を確認した後、シリンジ等の押子（プランジャ）を徐々に押しながら、内筒チューブ９に色素液を注入してゆく。この注入は、色素液が側孔１５を経て充填用隙間１８に流入し、充填用隙間１８に充填されるまで行われる。このとき、注入される色素液分のエアが外筒チューブ８の通気孔８ａ（図１参照）から抜けるので、色素液の注入がスムーズに行われる。
【００５３】
その際、図６のように、内筒チューブ９の前端部に達した色素液２４は、内筒チューブ９の側孔１５から充填用隙間１８の後端部に流出する。流出した色素液２４は、さらに、図７のように、スライド部１７の接続部２１と押送部材１６との間の流通路２３を通って、充填用隙間１８における押送部材１６の前方側に流入する。
【００５４】
これにより、最終的に、図８のように、充填用隙間１８の後端から前端にわたり、色素液２４が充填される。この間、スライド部１７の前端開閉部材１９が、前端閉塞部材１２の円柱部１３と外筒チューブ８の前端小径部１０とで挟まれることによって、充填用隙間１８の前端が閉塞されているので、色素液２４が充填用隙間１８から束ね針３の方へ漏洩することはない。
【００５５】
次に、色素液２４が充填用隙間１８に充填されたことを確認してから、手元操作部４の端子部６を引いて束ね針３を収納位置に移動させる。この間、内筒チューブ９が、図８に示される距離Ｌ１だけ後方に移動した時点で、内筒チューブ９の側孔１５が筒状後端部材２０により閉塞される。
【００５６】
このとき、充填用隙間１８の前端部が束ね針３の後端部外周の空間に接続され、充填用隙間１８に充填されていた色素液２４が、距離Ｌ１分だけ、束ね針３の後部に押し出される。押し出された色素液は、毛細管現象により束ね針３の各針の間を通って、束ね針３の前端側に浸透する。
【００５７】
さらに、その後、束ね針３が収納位置に至るまでの間に、内筒チューブ９が図９に示される距離Ｌ２だけ後方に移動される。この間、押送部材１６により筒状後端部材２０が押されるので、スライド部１７も、距離Ｌ２だけ後方に移動される。これにより、液剤投与装置１の前端部は、図９に示す状態となる。
【００５８】
次に、束ね針３が外筒チューブ８内に収納された状態で、内視鏡に対し、液剤投与装置１の投液チューブ２を鉗子口から挿入する。この挿入は、投液チューブ２の先端が内視鏡の視野に入るまで行われる。
【００５９】
次に、手元操作部４の操作により端子部６を押して、束ね針３を突出位置に移動させる。これにより、色素液２４が浸透した束ね針３が図８のように外筒チューブ８の前端から突出した状態となる。そして、目印を付与したい対象部位に束ね針３を穿刺する。これにより、束ね針３に浸透している色素液２４が対象部位に投与され、目印が付与される。
【００６０】
なお、複数の部位に目印を付与する場合には、さらに、束ね針３の収納位置への移動、束ね針３の突出位置への移動を行いながら、束ね針３の各対象部位への穿刺を繰り返せばよい。この間、対象部位への色素液２４の投与量が少なくなり、明確な目印の付与が困難になってきた場合には、上述の押子（プランジャ）を押してシリンジ等から色素液を内筒チューブ９に注入する操作を行えばよい。
【００６１】
このようにして対象部位への目印の付与が完了すると、束ね針３を収納位置に位置付けて束ね針３を収納した状態で、投液チューブ２を内視鏡からゆっくりと抜去する。これにより、点墨処置が終了する。抜去された使用済みの液剤投与装置１は、感染や汚染に注意を払いながら、安全に廃棄される。
【００６２】
本実施形態によれば、内筒チューブ９の側孔１５が図９のように筒状後端部材２０によって閉塞された状態で、充填用隙間１８内の色素液２４が束ね針３に浸透する。そして、束ね針３に浸透した色素液２４が、図８のように充填用隙間１８の先端が閉塞された状態で対象部位に投与される。したがって、対象部位に対して必要最小限の色素液を容易に投与することができる。
【００６３】
また、前端が閉塞された状態の充填用隙間１８に色素液２４が充填され、そして充填用隙間１８への色素液２４の流入が制限された状態で色素液２４が束ね針３に浸透し、さらに充填用隙間１８の先端が閉塞された状態で色素液２４が対象部位に投与される。したがって、色素液２４が対象部位の周囲に漏洩して内視鏡による視野の確保が困難となるのを回避することができる。
【００６４】
また、必要に応じた色素液２４の内筒チューブ９への注入、束ね針３の収納位置への移動、束ね針３の突出位置への移動、及び束ね針３の対象部位への穿刺を繰り返すことにより、液剤投与装置１を内視鏡に装着したまま、複数の対象部位に対しても色素液２４を容易に投与することができる。
【００６５】
また、押送部材１６の周方向一端縁及び他端縁と、これらの間を通って前後方向に延在する接続部２１との間に流通路２３が形成されるので、接続部２１が通る経路、及び押送部材１６前後の液剤の流通を適切に確保することができる。
【００６６】
また、押送部材１６は、接続部２１及び流通路２３の部分を除いた内筒チューブ９の周方向の範囲にわたっており、図４（ｂ）のように、その周方向一端縁から他端縁までの中心角が大きい（欠落部分の中心角が鋭角で小さい）部分円筒状の形態を有する。このため、押送部材１６によって内筒チューブ９を外筒チューブ８部に対して摺動自在に支持することができる。したがって、束ね針３の突出位置と収納位置との間の移動及びこれに伴う押送部材１６によるスライド部１７の移動を、スムーズに行うことができる。
【００６７】
以上、本発明の実施形態について説明したが、本発明はこれに限定されない。例えば、束ね針３の収納位置への移動時に筒状後端部材２０を押してスライド部１７を移動し得るものであれば、押送部材として、部分円筒状の押送部材１６に代えて、他の形状の押送部材を採用してもよい。また、液剤投与装置１は、遺伝子や検査薬等の薬剤を患部組織に投与するために用いてもよい。
【００６８】
また、液剤付与部として、束ね針３に代えて、スポンジ、多孔質セラミック、１本の針等を用いてもよい。また、移動部として、内筒部（内筒チューブ９及び前端閉塞部材１２）に代えて、外筒チューブ８と内筒部との間の隙間に通されたワイヤー等の長尺の部材を用いてもよい。
【００６９】
また、第１開閉部は、前端開閉部材１９に代えて、外筒チューブ８に固定された部材により構成してもよい。この場合、束ね針３は、収納位置に移動されたときに外筒チューブ９内に収納される長さを有するのが好ましい。さらに、第２開閉部を、筒状後端部材２０に代えて、外筒チューブ９の内面に固定された部材により構成してもよい。かかる場合、接続部２１は不要となる。
【符号の説明】
【００７０】
１…液剤投与装置、３…束ね針（液剤付与部）、８…外筒チューブ（外筒部）、９…内筒チューブ（内筒部、移動部）、１０…前端小径部（移動阻止部）、１２…前端閉塞部材（内筒部、移動部）、１５…側孔（接続孔）、１６…押送部材、１７…スライド部、１８…充填用隙間、１９…前端開閉部材（第１開閉部、第１開閉部材）、２０…筒状後端部材（第２開閉部、第２開閉部材）、２１…接続部、２３…流通路、２４…色素液。
【図１】
0006478270.tif 000002
【図２】
0006478270.tif 000003
【図３】
0006478270.tif 000004
【図４】
0006478270.tif 000005
【図５】
0006478270.tif 000006
【図６】
0006478270.tif 000007
【図７】
0006478270.tif 000008
【図８】
0006478270.tif 000009
【図９】
0006478270.tif 000010